(57)【要約】【課題】  電源の収納部と情報記憶媒体の収納部とを１つの蓋体で開閉する従来の電子機器では、情報記憶媒体の着脱操作を行うために蓋体を開放すると電源が切れてしまい、再起動の度に電源を入れなおす作業が必要になり、使用者に煩わしい思いをさせると共に、シャッターチャンスを逃してしまうおそれがある。【解決手段】  乾電池２８が着脱可能に収納される電源収納部３１と、半導体記憶メモリ２９が着脱可能に収納される情報記憶媒体収納部３２を有するカメラ本体２と、電源収納部３１及び情報記憶媒体収納部３２を開閉するためカメラ本体２に回動可能に取り付けられた蓋体５２と、を備えたデジタルスチルカメラ１において、蓋体５２は、電源収納部３１に対向される第１の蓋体片５３と、情報記憶媒体収納部３２に対向される第２の蓋体片５４とを互いにヒンジ結合することにより形成され、  第１の蓋体片５３をカメラ本体２に対して回動可能、かつ、摺動可能に支持すると共に、第１の蓋体片５３をロックするロック手段を設けた。【選択図】  図１
2006229357.tif 000002
【特許請求の範囲】
【請求項１】
電源が着脱可能に収納される電源収納部と、情報記憶媒体が着脱可能に収納される情報記憶媒体収納部を有する電子機器本体と、
前記電源収納部及び前記情報記憶媒体収納部を開閉するため前記電子機器本体に回動可能に取り付けられた蓋体と、を備えた電子機器において、
前記蓋体は、前記電源収納部に対向される第１の蓋体片と、前記情報記憶媒体収納部に対向される第２の蓋体片とを互いにヒンジ結合することにより形成され、
前記第１の蓋体片を前記電子機器本体に対して回動可能、かつ、摺動可能に支持すると共に、当該第１の蓋体片をロックするロック手段を設けたことを特徴とする電子機器。
【請求項２】
前記電源収納部は複数個のバッテリー電源が収納可能であって、当該複数個のバッテリー電源間を接続する導電体を前記第１の蓋体片に設けたことを特徴とする請求項１記載の電子機器。
【請求項３】
前記電子機器本体には、前記情報記憶媒体収納部の外側を通り、前記電源収納部に一端が連通され、かつ、他端が外面に開口されたコード通し溝を設けたこと特徴とする請求項１記載の電子機器。
【請求項４】
前記第１の蓋体片又は前記第２の蓋体片に表面形状を放物線又は高次曲線としたカム凸部を設けると共に、当該カム凸部に付勢されて摺動接触する弾性係止片を前記第２の蓋体片又は前記第１の蓋体片に設けたことを特徴とする請求項１記載の電子機器。
【発明の詳細な説明】
【技術分野】
【０００１】
本発明は、電子機器本体が、乾電池やバッテリーパック等の電源が収納される電源収納部と、半導体記憶媒体やディスク状記憶媒体等の情報記憶媒体が収納される情報記憶媒体収納部とを備え、それらの収納部を１つの蓋体で開閉するようにした電子機器に関するものである。
【背景技術】
【０００２】
従来の、この種の電子機器としては、例えば、特許文献１に記載されているようなものがある。特許文献１には、カード状記録媒体である、いわゆるメモリカードが開閉式の蓋部により格納されるようにしたカメラ装置に関するものが記載されている。この特許文献１に記載されたカメラ装置は、「カード状記録媒体やバッテリーが格納される収容部をヒンジを支点にして開閉される蓋部と、上記蓋部を蓋ロック解除位置に操作するためのスライド移動可能のつまみ部と、上記つまみ部に設けられている突当て片と、上記突当て片に対峙され、電気的に切換え動作される可動部を有する電磁スイッチとよりなる電動式蓋ロック／蓋ロック解除機構と、から構成され、上記カード状記録媒体への記録データの書き込み動作中には、上記電磁スイッチの可動部で上記つまみ部の突当て片を拘束することで上記蓋部の開放を禁止し、上記カード状記録媒体への記録データの書き込み動作以外では、上記電磁スイッチの可動部を後退し上記つまみ部の突当て片の拘束を解除することで上記蓋部の開放を可能にした」ことを特徴としている。
【０００３】
このような構成を有するカメラ装置によれば、「カード状記録媒体への静止画や動画等の記録データの書き込み動作中には、蓋部の開放を禁止し記録データを保護することができ、また、カメラ本体側の誤動作を防止することができる」等の効果が期待される。
【０００４】
しかしながら、上述したような特許文献１に記載されたカメラ装置においては、記録データの書き込み中は電動式蓋ロック／蓋ロック解除機構によって蓋部の開放を禁止することにより、蓋部の開放に起因してカメラ装置の電源が切れて記録データが消失してしまうことを防止していた。ところが、蓋部のロックを解除した後、カード状記録媒体の着脱操作を行うために蓋部を開放するとカメラ装置の電源が切れてしまうために、蓋部の開放操作の度に電源を入れなおす操作が必要になり、使用者に煩わしい思いをさせてしまうという課題があった。しかも、カード状記録媒体の着脱操作後に電源を入れなおすと、カメラ装置を起動させるまでに時間を要してしまうために、シャッターチャンスを逃してしまうという課題もあった。
【０００５】
また、一般的な電子機器には、電源収納部と情報記憶媒体収納部とを別々の蓋体で開閉し、電子機器の電源を切らずに情報記憶媒体の着脱操作を行うことができるものもある。しかしながら、電源収納部と情報記憶媒体収納部とを別々の蓋体によって開閉する構造にすると、電子機器本体に所定の強度を持たせるために構造が複雑になってしまうと共に部品点数を増加させてしまうために、コストアップを招いて不経済であるという課題があった。更に、電子機器本体のスペースを効率よく使用することが困難になってしまい、電子機器全体の小型化を妨げているという課題もあった。
【特許文献１】特開２００２−３５４３０３号公報
【発明の開示】
【発明が解決しようとする課題】
【０００６】
解決しようとする問題点は、電源収納部と情報記憶媒体収納部とを１つの蓋体で開閉する従来の電子機器では、情報記憶媒体の着脱操作を行う目的で蓋体を開放すると、その度に電源が切れてしまうことから、使用者に煩わしい思いをさせてしまうと共に、その後、カメラ装置を再起動させるまでに時間を要してしまい、シャッターチャンスを逃すおそれがあるという点である。
【課題を解決するための手段】
【０００７】
本出願の電子機器は、電源が着脱可能に収納される電源収納部と、情報記憶媒体が着脱可能に収納される情報記憶媒体収納部を有する電子機器本体と、電源収納部及び情報記憶媒体収納部を開閉するため電子機器本体に回動可能に取り付けられた蓋体と、を備えた電子機器において、蓋体は、電源収納部に対向される第１の蓋体片と、情報記憶媒体収納部に対向される第２の蓋体片とを互いにヒンジ結合することにより形成され、第１の蓋体片を電子機器本体に対して回動可能、かつ、摺動可能に支持すると共に、第１の蓋体片をロックするロック手段を設けたことを最も主要な特徴とする。
【０００８】
本出願の電子機器は、電源収納部は複数個のバッテリー電源が収納可能であって、複数個のバッテリー電源間を接続する導電体を第１の蓋体片に設けたことを特徴とする。
【０００９】
本出願の電子機器は、電子機器本体には、情報記憶媒体収納部の外側を通り、電源収納部に一端が連通され、かつ、他端が外面に開口されたコード通し溝を設けたことを特徴とする。
【００１０】
また、本出願の電子機器は、第１の蓋体片又は第２の蓋体片に表面形状を放物線又は高次曲線としたカム凸部を設けると共に、カム凸部に付勢されて摺動接触する弾性係止片を第２の蓋体片又は第１の蓋体片に設けたことを特徴とする。
【発明の効果】
【００１１】
本出願の電子機器によれば、電源収納部に対向する第１の蓋体片と情報記憶媒体収納部に対向する第２の蓋体片をヒンジ結合して１つの蓋体とし、第１の蓋体片を電子機器本体に対して回動可能、かつ、摺動可能に支持すると共に、第１の蓋体片をロックするロック手段を設け、第１の蓋体片に対して第２の蓋体片を回動可能に連結する構成としたため、第１の蓋体片のロックを解除することによって、蓋体全体を摺動及び回動させることができ、電源収納部及び情報記憶媒体収納部を一緒に開閉することができると共に、第２の蓋体片のみを開いて情報記憶媒体収納部のみを開放することができる。そのため、電源収納部を開放せずに、即ち、電子機器の電源を切ることなく、情報記憶媒体の着脱操作を行うことができる電子機器を簡単な構造によって実現することができる。
【００１２】
本出願の電子機器によれば、複数個のバッテリー電源を電源収納部に収納可能であって、第１の蓋体片に複数個のバッテリー電源間を接続する導電体を設ける構成としたため、一般的に市販されている単１、単２等の乾電池を使用して電子機器に見合った量の電源を供給することができ、緊急時において、迅速に電源を確保することができる。
【００１３】
本出願の電子機器によれば、情報記憶媒体収納部の外側を通り、電源収納部に一端が連通され、他端が外面に開口されたコード通し溝を電子機器本体に設ける構成としたため、電子機器の外部にある電源を電子機器に供給する、例えば、ＤＣプレート等を電源収納部に収納し、蓋体によって電源収納部を閉じた状態において、ＤＣプレートから引き出されたコードをコード通し溝に挿通させることができ、電子機器の外部から電源を取り入れることができる電子機器を極めて簡単な構造によって実現することができる。
【００１４】
また、本出願の電子機器によれば、表面形状を放物線又は高次曲線としたカム凸部を第１の蓋体片又は第２の蓋体片に設けると共に、そのカム凸部に付勢されて摺動接触する弾性係止片を第２の蓋体片又は第１の蓋体片に設ける構成としたため、弾性係止片とカム凸部との間に生じる摩擦力によって、第１の蓋体片と第２の蓋体片が同一平面となった平面状態と、第２の蓋体片のみを開いた折り曲げ状態と、これらの間において、任意の角度の姿勢とを取ることが可能である。また、平面状態では２つの蓋体片を１つの蓋体として扱うことができると共に、折り曲げ状態では情報記憶媒体の着脱操作を実行することができ、操作性に優れた電子機器を提供することができる。
【発明を実施するための最良の形態】
【００１５】
電源収納部に対向する第１の蓋体片と情報記憶媒体収納部に対向する第２の蓋体片を互いにヒンジ結合して１つの蓋体を形成し、第１の蓋体片を電子機器本体に対して回動及び摺動可能に支持すると共に、第１の蓋体片をロックするロック手段を設けたことにより、電源収納部と情報記憶媒体収納部を一緒に開閉したり、情報記憶媒体収納部のみを開閉することができる電子機器を、簡単な構造によって実現した。
【００１６】
図１〜図１５は、本発明の実施の形態の例を示すものである。即ち、図１及び図２は本発明の電子機器の一実施例である撮像装置を示すもので、図１は底面側から見た斜視図、図２は正面側から見た斜視図、図３〜図１１は図１及び図２に示す撮像装置の要部を示すもので、図３〜図６は電源収納部及び情報記憶媒体収納部を開閉する蓋体の動作を示す説明図、図７〜図１１は同じく断面図、図１２は蓋体を正面側から見た斜視図、図１３は蓋体を背面側から見た斜視図、図１４Ａ〜Ｃは第２の蓋体片の動作を説明するための説明図、図１５は図１に示す撮像装置にＤＣプレートを挿入する状態を示す背面側から見た斜視図である。
【００１７】
図１及び図２に示す撮像装置１は、情報記憶媒体として半導体記憶メディアを使用し、光学的な画像をＣＣＤ（固体撮像素子）で電気的な信号に変換して半導体記憶メディアに記録したり、液晶ディスプレイ等の表示装置に表示できるようにしたもの（以下「デジタルスチルカメラ」という。）である。しかしながら、本発明に係る情報記憶媒体としては、半導体記憶媒体に限定されるものではなく、テープ状記憶媒体を用いたデジタルビデオカセット、アナログビデオカセットその他のテープカセットを用いることができることは勿論のこと、ＤＶＤ（デジタルバーサタイルディスク）やＣＤ−ＲＯＭその他の記録可能な光ディスク、光磁気ディスク、磁気ディスク等のディスク状記憶媒体を適用することもできる。
【００１８】
図１及び図２に示すように、デジタルスチルカメラ１は、中空の筐体からなるカメラ本体２と、被写体の像を光として取り込んで撮像手段としての図示しないＣＣＤに導くレンズ装置３と、レンズ装置３の撮影レンズ５から入力される光に基づいて被写体の映像信号を形成する撮像手段と、この撮像手段で形成された映像信号又は予め情報記憶媒体に記録されている情報に基づいて映像を表示する液晶ディスプレイ６等から構成されている。
【００１９】
図２に示すように、カメラ本体２の正面から見てやや右側へ偏倚した位置には、正面に撮像レンズ５を露出させた状態でレンズ装置３が配設されている。このレンズ装置３を配設するためカメラ本体２には、正面側に突き出した円筒状のレンズ用突出部２ａが設けられている。また、カメラ本体２の略中央部であって、レンズ用突出部２ａの近傍にはセルフタイマーランプ７が配置されている。更に、カメラ本体２の正面から見て左側には、このカメラ本体２を把持するための把持部２ｂが設けられている。この把持部２ｂは握り易さを考慮して前方に突出されていて、その上部には、シャッタスピード、絞り、露出等の設定値を変更するマニュアル設定ダイヤル８が配置され、このマニュアル設定ダイヤル８の近傍に被写体を撮影するためのシャッタボタン１０が配置されている。
【００２０】
カメラ本体２の上面には、シャッタボタン１０の近傍にモードダイヤル１１が配置されている。モードダイヤル１１は、デジタルスチルカメラ１の機能を切り換えるためのもので、その機能モードとしては、例えば、動画撮影モード、静止画撮影モード、画像再生／編集モード等を挙げることができる。また、カメラ本体２の上面のモードダイヤル１２と反対側には、フラッシュ装置１４と、電子ビューファインダ１５が設けられている。これらフラッシュ装置１４及び電子ビューファインダ１５は、その中心がレンズ装置３の光軸の中心と略一致するように配置されている。フラッシュ装置１４は、フラッシュを使用して撮影するときに立ち上がり、これにより、図示しないフラッシュ発光部が露出されるようになっている。更に、モードダイヤル１１とフラッシュ装置１４の間には、電源スイッチである電源ボタン１２が設けられている。
【００２１】
カメラ本体２の右側面の上部には、ストラップ取付部１７が設けられている。このストラップ取付部１７には、図示しないが、手首に引っ掛けてデジタルスチルカメラ１を保持するためのリストストラップが取付けられる。また、カメラ本体２の右側面の下部には、指等を引っ掛けて後述する蓋体５２を開くための蓋体用凹部１８が設けられている。
【００２２】
図１に示すように、カメラ本体２の背面には、液晶ディスプレイ６と、この液晶ディスプレイ６のＯＮ、ＯＦＦ等を操作する画面表示ボタン２１と、メニューボタン２２と、画像サイズ／削除ボタン２３と、コントロールボタン２４と、ズーム操作を行うことができるズームボタン２５等が設けられている。
【００２３】
液晶ディスプレイ６は、カメラ本体２の背面において、その中央部から左側部にかけて大きく占有するように大型に形成されている。この液晶ディスプレイ６の右側上部にズームボタン２５が配置され、その下部にコントローラボタン２４及びその他の操作ボタンが配置されている。ズームボタン２５は、撮影時は勿論のこと、再生時においてもズーム操作を行うことができるようになっている。
【００２４】
コントロールボタン２４は、中央の決定ボタン２４ａと、この決定ボタン２４ａを挟んで上下左右に配置される４つの選択ボタン２４ｂからなっている。コントロールボタン２４の操作としては、液晶ディスプレイ６に表示したメニュー画面から所望の項目や設定を４つの選択ボタン２４ｂで選択し、決定ボタン２４ａで決定する等の操作を挙げることができるが、この操作に限定されるものではない。
【００２５】
カメラ本体２の底面には、略中央部に三脚用ネジ穴２７（図３等参照）が設けられており、把持部２ｂ側に電源収納部３１と、情報記憶媒体収納部３２とが設けられている。これら電源収納部３１及び情報記憶媒体収納部３２は、カメラ本体２に対して着脱可能とされた筐体３４に形成されている。情報記憶媒体収納部３２には、情報記憶媒体の一具体例を示す半導体記憶メモリ（例えば、「メモリースティック（商標）」）２９が収納され、電源収納部３１には、電源の一具体例を示す乾電池２８の２本が収納されるようになっている。本実施例では、電源収納部として、携帯電源である乾電池を２本収納することができる大きさとしたが、１本又は３本以上の乾電池を収納する構成とすることが可能なことは勿論である。
【００２６】
電源収納部３１の底部には、図示しないが、収納された２本の乾電池２８，２８の端子と電気的に接続される接点部と、２本の乾電池２８，２８を電源収納部３１から排出させる方向に付勢するイジェクトバネとが設けられている。また、情報記憶媒体収納部３２の内部には、半導体記憶メモリ２９を着脱可能に保持するための図示しないプッシュ−プッシュ機構（押す方向のみで繰り返される操作機構）が設けられている。この電源収納部３１及び情報記憶媒体収納部３２の周囲には蓋体用凹部３３が設けられており、この蓋体用凹部３３が蓋体５２によって開閉自在に構成されている。
【００２７】
図６等に示すように、蓋体５２は、全体として蓋体用凹部３３に見合う形状とされていて、蓋体用凹部３３を閉じた状態においてカメラ本体２の一部をなして同一面を形成するように構成されている。この蓋体５２は、第１の蓋体片５３と、第２の蓋体片５４と、支持プレート５５等を備えており、蓋体５２を開いて電源収納部３１及び情報記憶媒体収納部３２を一緒に開放した状態と、第２の蓋体５４のみを開いて情報記憶媒体収納部３２を開放した状態（図４参照）とを取ることができるようになっている。
【００２８】
図３及び図１２に示すように、第１の蓋体片５３は、略四角形をなす扁平の板体からなり、蓋体用凹部３３を閉じた状態においてカメラ本体２の底面の一部となっている。第１の蓋体片５３の略中央部には、表裏面を貫通する貫通穴６１が設けられている。貫通穴６１は略半月形をなしており、第１の蓋体片５３の外面において貫通穴６１の周囲には、操作釦６２を突出させるための操作釦用凹部６３が設けられている。この操作釦用凹部６３の形状は、指先が入る程度の円形とされていて、その外周縁の一部に沿って滑り止め用の膨出部６４が設けられている。
【００２９】
また、第１の蓋体片５３の内面には、図１３に示すように、操作釦６２の近傍にロック凸部６６が設けられている。ロック凸部６６は、第１の蓋体片５３の長手方向に延びる細長の形状とされていて、操作釦６２と反対側に斜面を有している。ロック凸部６６の斜面側の第１の蓋体片５３の一辺には、ストッパ凸部６７が設けられており、他辺（ストッパ凸部６７と反対側）には、その両端に一対の軸受部６８，６８が設けられている。一対の軸受部６８，６８は、高次曲線又は放物線状のカム面をなすカム凸部６８ａ，６８ａを有している。このカム凸部６８ａ，６８ａは、その円弧状の部分を第１の蓋体片５３の内面に対して斜め上方に突出するように形成されている。
【００３０】
更に、第１の蓋体片５３の内面の幅方向の両端部には、支持プレート５５と係合する第１の係合部７０と第２の係合部７１が設けられている。第１の係合部７０は平面から見て略Ｌ字状をなしており、第２の係合部７１と対向する面に図に表れない係合溝を有すると共に、この係合溝と反対側の面に第１の爪７０ａと段違いとされた第２の爪７０ｂを有している。これら第１及び第２の爪７０ａ，７０ｂは、第１の蓋体片５３を完全に閉じた状態において蓋体用凹部３３に設けられた係合突部４１，４２にそれぞれ係合される。
【００３１】
第２の係合部７１は略Ｉ字状をなしており、第１の係合部７０と対向する面に係合溝７１ｃを有すると共に、この係合溝７１ｃと反対側の面に第１の爪７１ａと第２の爪７１ｂ（図１２参照）を有している。これら第１及び第２の爪７１ａ，７１ｂは、第１の係合部７０の第１及び第２の爪７０ａ，７０ｂと同じように、蓋体用凹部３３に設けられた図示しない係合突部に係合される。
【００３２】
図４及び図１２等に示すように、第２の蓋体片５４は、カメラ本体２の底面の一部となる平面部５４ａと、この平面部５４ａの一辺から連続して立ち上げられた側面部５４ｂとを有している。この側面部５４ｂは、カメラ本体２の右側面の曲面と対応するように湾曲させて形成されている。
【００３３】
図１３に示すように、第２の蓋体片５４の平面部５４ａの内面には、側面部５４ｂと反対側の長辺に沿うように回動止め部７３が設けられている。回転止め部７３は、その他の部分よりも幅広に形成された両端部を有し、その両端部にヒンジ軸７５が貫通される軸貫通穴７３ａ，７３ａが設けられている。また、回動止め部７３と側面部５４ｂとの間には、ヒンジ軸７５の軸方向と直交する方向に細く延びる複数の補強用梁７４（本実施例では４個）が設けられている。
【００３４】
更に、第２の蓋体片５４の平面部５４ａの内面には、回動止め部７３から所定の間隔をあけて一対の弾性係止片７７，７７が設けられている。一対の弾性係止片７７，７７は、適当な曲線（例えば、放物線又は高次曲線等）を有する弾性片からなり、第１の蓋体片５３の一対の軸受部６８，６８に形成した一対のカム凸部６８ａ，６８ａとそれぞれ係合するようになっている。また、各弾性係止片７７と側面部５４ｂの間には、それぞれ係止片７８が設けられている。各係止片７８は、その先端部に係止爪７８ａを有しており、第２の蓋体片５４を完全に閉じた状態において蓋体用凹部３３に設けた係止突部４３にそれぞれ係止される（図６及び図８参照）。
【００３５】
支持プレート５５は、略四角形をした平板状の本体部５５ａと、この本体部５５ａの短辺の両側に連続して設けられた張り出し部５５ｂ，５５ｂと、本体部５５ａの長辺に連続する一対の軸受部５５ｃ，５５ｃとを備えている。支持プレート５５の張り出し部５５ｂ，５５ｂは、第１の蓋体片５３の第２の係合部７１に設けた係合溝７０ｃ及び第１の係合部７０に設けた係合溝に摺動可能にそれぞれ係合される。
【００３６】
支持プレート５５の本体部５５ａには、長手方向に所定の間隔をあけて２つの貫通穴８１，８１が設けられている。２つの貫通穴８１，８１は略楕円形をなす長穴からなり、図１３に示すように、第１の蓋体片５３と対向する面と反対側の面において、貫通穴８１，８１の周囲に縁取り部８２，８３が設けられている。そして、一方の縁取り部８３の周囲には、絶縁カバー８４が取付けられている。
【００３７】
図１２に示すように、支持プレート５５の本体部５５ａの第１の蓋体片５３と対向する面には、制止突部８６が設けられている。この制止突部８６は、支持プレート５５が第１の蓋体片５３に摺動可能に支持された状態において、第１の蓋体片５３のストッパ凸部６７と対向するようになっている（図７を参照）。更に、本体部５５ａの第１の蓋体片５３と対向する面には、制止突部８６を囲うように配置された導電回路板８７が取付けられている。
【００３８】
導電回路板８７は、略Ｍ字状に形成された導電部材からなり、本体部８８と、この本体部８８の両端に連続する一対の固定部８９，８９と、各固定部８９に連続する一対の接点端子部９０，９０とを有している。本体部８８は、一対の固定部８９，８９に対して浮き上がるように形成されており、これにより、本体部８８と支持プレート５５の本体部５５ａとの間に所定の隙間が設定されている。そして、本体部８８の先端部には、支持プレート５５の本体部５５ａと反対方向に折れ曲げられたロック爪８８ａが設けられている。また、各接点端子部９０はくの字状に折り曲げ形成され、貫通穴８１にそれぞれ貫通されている。これにより、一対の接点端子部９０，９０は、第１の蓋体片５３を完全に閉じた状態において、一対の乾電池２８，２８にそれぞれ当接し、２本の乾電池２８，２８間を電気的に接続するようになっている。
【００３９】
上述した第１の蓋体片５３と第２の蓋体片５４の材質としては、ＡＢＳ（アクリロ二トリル・ブタジエン・スチレン樹脂）その他のエンジニアリングプラスチックが好適であるが、アルミニウム合金その他の金属を用いることもできる。また、支持プレート５５の材質としては、ステンレス合金その他の金属が好適であるが、導電性を有するものであればエンジニアリングプラスチックを用いることもできる。
【００４０】
このような構成を有する蓋体５２は、例えば、次のようにして簡単に組み立てることができる。まず、図１２等に示すように、第１の蓋体片５３と第２の蓋体片５４をヒンジ手段により結合して回動可能に連結する。即ち、第１の蓋体片５３の一対の軸受部６８，６８間に第２の蓋体片５４の回動止め部７３を介在させ、これらの穴にヒンジ軸７５を貫通させる。このとき、第１の蓋体片５３の一対の軸受部６８，６８に形成した一対のカム凸部６８ａ，６８ａに第２の蓋体片５４に形成した一対の弾性係止片７７，７７を係合させる。これにより、第２の蓋体片５４は、その外側面が第１の蓋体片５３の外側面と同一平面になった平面状態（図１４Ａ）と、第１の蓋体片５３に対して略１２０度回動した折り曲げ状態（図１４Ｃ）と、それらの間における任意角度の姿勢を取ることができるようになる。
【００４１】
次に、図１３等に示すように、第１の蓋体片５３の内面からその貫通穴６１に操作釦６２を嵌め込む。続いて、予め絶縁カバー８４及び導電回路板８７を取り付けた支持プレート５５に、操作釦６２を嵌め込んだ第１の蓋体片５３を支持させる。即ち、第１の蓋体片５３の第２の係合部７１に設けた係合溝７０ｃ及び第１の係合部７０に設けた係合溝に支持プレート５５の一対の張り出し部５５ｂ，５５ｂを係合させる。これにより、第１の蓋体片５３は、支持プレート５５と摺動可能に係合される。
【００４２】
次に、図６等に示すように、電源収納部３１及び情報記憶媒体収納部３２等を有する筐体３４に支持プレート５５をヒンジ手段によって回動可能に支持する。即ち、筐体３４の蓋体用凹部３３に設けた一対の軸受突部４４，４４の間に支持プレート５５の一対の軸受部５５ｃ，５５ｃを介在させ、これらの穴にヒンジ軸５６を貫通させる。このとき、支持プレート５５の一対の軸受部５５ｃ間にねじりコイルバネ５７を装着し、このねじりコイルバネ５７のコイル部に連続する図に表れない２つのバネ片を支持プレート５５及び蓋体用凹部３３に設けたバネ受け片でそれぞれ係止する。その結果、支持プレート５５がねじりコイルバネ５７のバネ力によって、蓋体用凹部３３に対して略９０度立ち上がった状態に付勢される。これにより、蓋体５２の組立作業が完了する。しかる後、蓋体５２が組み付けられた筐体３４をカメラ本体２の底面の開口部に装着する。これにより、カメラ本体２に対する筐体３４の組立工程が完了する。
【００４３】
このような構成を有するデジタルスチルカメラ１によれば、例えば、次のようにして蓋体５２の開閉動作が実行される。この蓋体５２は、全体（第１の蓋体片５３及び第２の蓋体片５４）としての開閉操作と、第２の蓋体片５４のみの開閉操作との２種類の開閉操作を行うことができる。図３に示すように、蓋体５２が完全に閉じた状態では、第１の蓋体片５３に設けた第１の係合部７０の第１，第２の爪７０ａ，７０ｂは、蓋体用凹部３３の係合突部４１，４２とそれぞれ係合し、第２の係合部７１の第１，第２の爪７１ａ，７１ｂが蓋体用凹部３３の２つの係合突部とそれぞれ係合している。そのため、第１の蓋体片５３を開放動作させることができない。
【００４４】
更に、図７に示すように、支持プレート５５に取り付けた導電回路板８７のロック爪８８ａと第１の蓋体片５３のロック凸部６６が干渉するため、第１の蓋体片５３を外側、即ち、開放させる方向へスライドさせることができず、第１の蓋体片５３は、カメラ本体２に対してロックされた状態となっている。また、第２の蓋体片５４に設けた一対の係止片７８，７８の係止爪７８ａ，７８ａは蓋体用凹部３３の一対の係止突部３６，３６によって係止されている（図８参照）。そのため、第２の蓋体片５４は、情報記憶媒体収納部３２を閉じた状態となっている。
【００４５】
まず、第２の蓋体片５４のみの開閉操作について説明する。図３の状態から第２の蓋体片５４のみを開くためには、まず、蓋体用凹部１８に指等を引っ掛けて第２の蓋体片５４を開く方向に力を加える。このとき、第２の蓋体片５４の一対の係止片７８，７８が内側に撓むことにより、係止爪７８ａ，７８ａが蓋体用凹部３３の係止突部３６，３６から外れるため、第２の蓋体片５４を開くことができる。
【００４６】
第２の蓋体片５４が図１４Ａに示す状態にあるときには、一対の弾性係止片７７，７７が一対のカム凸部６８ａ，６８ａと係合すると共に、第２の蓋体片５４の回転止め部７３が第１の蓋体片５３の一辺と干渉しているため、第２の蓋体片５４の図中反時計方向への回動が制限されている。次に、図１４Ｂに示すように、第２の蓋体片５４を回動させると、カム凸部６８ａ，６８ａのカム面の曲率半径の変化により、このカム凸部６８ａ，６８ａと係合している弾性係止片７７，７７の摩擦力が増加し、その摩擦力と回動する力がつり合うため、任意の角度で姿勢を保つことができる。更に回動させることにより、第２の蓋体片５４が図１４Ｃの状態になると、第２の蓋体片５４の一辺が第１の蓋体片５３の一辺に当接されるため、第２の蓋体片５４の回動が阻止され、略１２０度開いた状態に保持される。このようにして、第２の蓋体片５４は、図１４Ａの閉状態と図１４Ｃの開状態とを選択的に取ることができると共に、それらの間における任意角度の姿勢を取ることができるようになっている。
【００４７】
かくして、第２の蓋体片５４を開くと情報記憶媒体収納部３２が開放され、その情報記憶媒体収納部３２に内蔵されたプッシュ−プッシュ機構（押す方向のみで繰り返される操作機構）の押圧操作によって、半導体記憶メモリ２９の着脱動作を行うことができる。その後、第２の蓋体片５４を閉じるときは、第２の蓋体片５４の外側面を押して第２の蓋体片５４を閉じる方向に動作させる。このとき、第２の蓋体片５４の一対の係止片７８，７８が再び撓み、一対の係止爪７８ａ，７８ａが蓋体用凹部３３の一対の係止突部３６，３６によって係止され、これにより第２の蓋体片５４が閉じた状態となる。
【００４８】
このようにして、第２の蓋体片５４のみを開いて情報記憶媒体収納部３２を開放することにより、電源収納部３１を開放することなく、即ち、デジタルスチルカメラ１の電源を切ることなく半導体記憶メモリ２９の着脱操作を行うことができる。また、一対のカム凸部６８ａ，６８ａに摺動接触する一対の弾性係止片７７，７７の弾性力によって、第２の蓋体片５４が略１２０度開いた状態に保持されるため、半導体記憶メモリ２９の押圧操作を容易に行うことができる。
【００４９】
次に、蓋体５２全体の開閉操作について説明する。図３に示す蓋体５２が完全に閉じた状態から、蓋体５２を開くためには、まず、蓋体５２に設けた操作釦用凹部６３内に突出している操作釦６２を押圧する。このとき、図１０に示すように、支持プレート５５に取り付けた導電回路板８７の本体部８８が押し下げられ、これにより、第１の蓋体片のロック凸部６６が導電回路板８７の本体部８８の先端部に設けたロック爪８８ａを乗り越えることができるようになる。そのため、蓋体５２をカメラ本体２の横方向へスライドさせる摺動動作が可能になる。
【００５０】
続いて、図５に示すように、蓋体５２をカメラ本体２の横方向へ所定量だけスライドさせる。即ち、図１０に示すように、第１の蓋体片５３のスットパ凸部６７が支持プレート５５の制止突部８６に当接するまで蓋体５２をスライドさせる。このとき、第２の蓋体片５４の一対の弾性係止片７７，７７の先端部が、第１の蓋体片５３の一対のカム凸部６８ａ，６８ａの根元側に圧接されているため、蓋体５２は、第２の蓋体片５４の外側面と第１の蓋体片５３の外側面とが同一平面となった平面状態が保持されている。
【００５１】
このように蓋体５２をスライドさせると、第１の蓋体片５３に設けた係合部７０の第１，第２の爪７０ａ，７０ｂ及び係合部７１の第１，第２の爪７１ａ，７１ｂが、蓋体用凹部３３の係合突部４１，４２及び図示しない２つ係合突部から外れる。これと同時に、第２の蓋体片５４の一対の係止片７８，７８の一対の係止爪７８ａ，７８ａが蓋体用凹部３３の一対の係止突部３６，３６から外れて、カメラ本体２に対する第２の蓋体片５４の係止状態が解除される。その結果、蓋体５２の回動動作が可能になるため、図６及び図１１に示すように、支持プレート５５に対して第１の蓋体片５３が所定量だけスライドした状態において、蓋体５２がねじりコイルバネ５７のバネ力により開かれる。
【００５２】
蓋体５２が開かれて電源収納部３１が開放されると、この電源収納部３１の底部に設けたイジェクトバネの付勢力によって２本の乾電池２８，２８が押し出され、それらの乾電池２８，２８は、電源収納部３１から所定量だけ突出する。この蓋体５２が略９０度開かれた状態では、図１１に示すように、蓋体５２の第１の蓋体片５３の一辺がカメラ本体２の底面に当接しているため、蓋体５２がカメラ本体２の底面で略直立した状態に保持される。これにより、電源収納部３１から乾電池２８，２８を簡単に取り出すことができる。なお、蓋体５２が開かれた状態では、情報記憶媒体収納部３２も開放されているため、半導体記憶メモリ２９の着脱操作を行うことができるのは勿論である。
【００５３】
次に、蓋体５２を閉じる場合について説明する。この場合は、蓋体５２の外面を横から押して略９０度回動させる。これにより、蓋体５２は、カメラ本体２の横方向へ所定量だけずれた状態で蓋体用凹部３３を覆うことになる。続いて、蓋体５２をカメラ本体２の内側へスライドさせる。これにより、第１の蓋体片５３に設けた係合部７０の第１，第２の爪７０ａ，７０ｂ及び係合部７１の第１，第２の爪７１ａ，７１ｂが、蓋体用凹部３３の係合突部４１，４２及び図示しない２つ係合突部にそれぞれ係合される。これと同時に、蓋体用凹部３３の一対の係止突部４３，４３に第２の蓋体片５４の一対の係止片７８，７８の係止爪７８ａ，７８ａがそれぞれ係合されて、第２の蓋体片５４がカメラ本体２に対して閉じた状態に保持される。更に、第１の蓋体片５３のロック凸部６６が導電回路板８７の本体部８８を摺動してロック爪８８ａを乗り越えると、第１の蓋体片５３がカメラ本体２に対してロックされた状態となり、蓋体５２が閉じた状態になると共に、蓋体５２によって電源収納部３１と情報記憶媒体収納部３２が共に閉じられる。
【００５４】
図１５は、電源収納部に収納される電源の第２の実施例としてＤＣプレート９３を用いたものである。ＤＣプレート９３は、電源本体９４と、接続部９５と、ＡＣ／ＤＣコンバータ９６を備えて構成されている。電源本体９４は、乾電池と同様な形状をなしていて接続部９５と一体となっている。接続部９５には、コード９５ａが引き出されており、このコード９５ａがＡＣ／ＤＣコンバータ９６の一端に接続されている。ＡＣ／ＤＣコンバータ９６の他端には、コード９６ａが接続されており、このコード９６の先端にはＡＣコンセント９６ｂが設けられている。このＤＣプレート９３を用いると、家庭電源等に接続されたＡＣコンセント９６ｂから供給された交流がＡＣ／ＤＣコンバータ９６で直流に変換され、その直流電源が、接続部９５を介して電源本体９４からデジタルカメラ１に供給される。
【００５５】
このＤＣプレート９３が収納される電源収納部３１を有するカメラ本体２には、コード通し溝９１が設けられている。コード通し溝９１は、電源収納部３１の１つの角部と連続すると共に情報記憶媒体収納部３２の外側を通ってカメラ本体２の右側面に開口されている。このコード通し溝９１は、溝蓋９２によって開閉自在とされている。このコード通し溝９１にＤＣプレート９３のコード９５ａが挿通され、その一端に接続された電源本体９４が電源収納部３１に収納され、他端がカメラ本体２の外に引き出される。
【００５６】
このようなコード通し溝９１を設けることにより、ＤＣプレート９３を収納して蓋体５２により蓋体用凹部３３を閉じた状態において、ＤＣプレート９３のコード９５ａをコード通し溝９１からデジタルスチルカメラ１の外部に引き出すことができ、デジタルスチルカメラ１に家庭電源等から交流を取り入れて電源として供給することができる。しかも、供給される電源は、乾電池等の電源よりも遥かに多い量とすることができるため、デジタルスチルカメラ１を長時間連続して使用することができる。
【００５７】
以上説明したように、本発明によれば、上述したような構成を有するため、蓋体全体を開いて電源収納部と情報記憶媒体収納部を開放する状態と、第２の蓋体片のみを開いて情報記憶媒体収納部のみを開放する状態とを取ることができる。そのため、電源収納部を閉じたまま、即ち、電子機器の電源を切ることなく、情報記憶媒体の着脱操作を行うことができ、情報記憶媒体の着脱操作の度に電子機器を再起動させる必要がなく、操作性を向上することができる。また、電子機器が情報記録媒体と通信中に誤って情報記録媒体収納部を開放しても電源が切れることがないため、記録データの消失を防止することができる。
【００５８】
本発明は、前述しかつ図面に示した実施の形態に限定されるものではなく、その要旨を逸脱しない範囲内で種々の変形実施が可能である。例えば、前記実施例においては、電子機器としてデジタルスチルカメラを適用した例について説明したが、デジタルビデオカメラレコーダ、カメラ機能付き携帯電話機、カメラ機能付きＰＨＳその他の撮像装置は勿論のこと、パーソナルコンピュータ、携帯ゲーム機その他各種の電子機器に幅広く適用できるものである。
【図面の簡単な説明】
【００５９】
【図１】本発明の電子機器の一実施例に係るデジタルスチルカメラを示すもので、このデジタルスチルカメラの底面を上にして背面側から見た外観斜視図である。
【図２】本発明の電子機器の一実施例に係るデジタルスチルカメラを示すもので、正面側から見た外観斜視図である。
【図３】図１に示すデジタルスチルカメラの蓋開閉装置を示すもので、蓋体を閉じた状態の斜視図である。
【図４】図１に示すデジタルスチルカメラの蓋開閉装置を示すもので、第２の蓋体片を開いて情報記憶媒体収納部を開放した状態の斜視図である。
【図５】図１に示すデジタルスチルカメラの蓋開閉装置を示すもので、蓋体をスライドさせた状態の斜視図である。
【図６】図１に示すデジタルスチルカメラの蓋開閉装置を示すもので、蓋体を開いて電源収納部及び情報記憶媒体収納部を開放した状態の斜視図である。
【図７】図１に示すデジタルスチルカメラの蓋開閉装置を示すもので、蓋体を閉じた状態の断面図である。
【図８】図１に示すデジタルスチルカメラの蓋開閉装置を示すもので、蓋体を閉じた状態の第２の蓋体片の断面図である。
【図９】図１に示すデジタルスチルカメラの蓋開閉装置を示すもので、第２の蓋体片を開いて情報記憶媒体収納部を開放した状態の断面図である。
【図１０】図１に示すデジタルスチルカメラの蓋開閉装置を示すもので、蓋体をスライドさせた状態の断面図である。
【図１１】図１に示すデジタルスチルカメラの蓋開閉装置を示すもので、蓋体を開いて電源収納部及び情報記憶媒体収納部を開放した状態の断面図である。
【図１２】図１に示すデジタルスチルカメラの蓋開閉装置に係る蓋体を分解して外側から見た斜視図である。
【図１３】図１に示すデジタルスチルカメラの蓋開閉装置に係る蓋体を分解して内側から見た斜視図である。
【図１４】図１に示すデジタルスチルカメラの蓋開閉装置に係る第２の蓋体片の動作を説明するための説明図である。
【図１５】本発明の電子機器の一実施例に係るデジタルスチルカメラに用いる電源の第２の実施例を示す斜視図である。
【符号の説明】
【００６０】
１…デジタルスチルカメラ（電子機器）、  ２…カメラ本体（電子機器本体）、  ２８…乾電池（電源）、  ２９…半導体記憶メモリ（情報記憶媒体）、  ３１…電源収納部、  ３２…情報記憶媒体収納部、  ３３…蓋体用凹部、  ５２…蓋体、  ５３…第１の蓋体片、  ５４…第２の蓋体片、  ５５…支持プレート、  ６２…操作釦、  ６６…ロック凸部、  ６８…軸受部、  ６８ａ…カム凸部、７０…第１の係合部、  ７０ａ…第１の爪、  ７０ｂ…第２の爪  ７１…第２の係合部、  ７１ａ…第１の爪、  ７０ｂ…第２の爪、  ７７…弾性係止片、  ７８…係止片、  ７８ａ…係止爪、  ８７…導電回路板、  ８８…本体部、  ８８ａ…ロック爪、  ９１…コード通し溝
【図１】
2006229357.tif 000003
【図２】
2006229357.tif 000004
【図３】
2006229357.tif 000005
【図４】
2006229357.tif 000006
【図５】
2006229357.tif 000007
【図６】
2006229357.tif 000008
【図７】
2006229357.tif 000009
【図８】
2006229357.tif 000010
【図９】
2006229357.tif 000011
【図１０】
2006229357.tif 000012
【図１１】
2006229357.tif 000013
【図１２】
2006229357.tif 000014
【図１３】
2006229357.tif 000015
【図１４】
2006229357.tif 000016
【図１５】
2006229357.tif 000017